(57)【要約】【課題】植物苗（特に芝に代表される植物材料の裁断茎葉（地下茎や小球根を含む））の活着率が非常に高く、しかも平地に限らず傾斜地の緑化をも効率的にかつ確実に行えるようにした植物材料の裁断茎葉の吹付けによる緑化工法を提供する。【解決手段】最初に、法面１の上に芝裁断茎葉２を吹付ける。この場合、芝裁断茎葉２の吹付けとともに適量の散水を行うものとする。また、法面１が特に岩場などで肥料分がほとんどないとき、あるいは非常に固いときは、例えば法面１の上に下地として植生基盤材３を所定の厚さに吹付ける。次に、芝裁断茎葉２の上に植生基盤材３と同じ植生基盤材４を所定の厚さに吹付ける。【選択図】　　　　　　図１
2004016040.tif 000002
【特許請求の範囲】
【請求項１】
吹付けた植物材料の裁断茎葉の上に植生基盤材を吹付けることを特徴とする植物材料の裁断茎葉吹付けによる緑化工法。
【請求項２】
植物材料の裁断茎葉として芝裁断茎葉を吹付けることを特徴とする植物材料の裁断茎葉吹付けによる緑化工法。
【請求項３】
ファイバーを吹付けることを特徴とする請求項１または２記載の植物材料の裁断茎葉吹付けによる緑化工法。
【発明の詳細な説明】
【０００１】
【発明の属する技術分野】
本願発明は、植物材料の裁断茎葉（または裁断地下茎または小球根（以下「裁断茎葉」という））吹付けによる緑化工法に関し、特に裁断茎葉の活着率を大幅に向上させることができ、しかも平地に限らず傾斜地の緑化をも可能にしたものである。
【０００２】
【従来の技術】
道路や敷地などに面する法面、河川などに面する堤防法面、さらには敷地などの平地を栄養繁植性植物により緑化する方法として、これまで植生基盤材などと攪拌・混合した植物苗を地盤面上に吹付ける方法が知られている。
【０００３】
また、マットやロール状の芝を人力によって張り付ける方法も知られ、この場合、芝の生産現場においては一部「撒芝」と称して、裁断した芝を畑に撒いて芝を育成する方法も行われている。
【０００４】
【発明が解決しようとする課題】
しかし、前者の植物苗の吹付けによる緑化工法の場合、植物苗と植生基盤材は機械で混合し吹付けるため、その厚さや植物苗の埋設深さをコントロールするのは非常に困難である。
【０００５】
多くの栄養繁殖性植物はセル成型苗として育成し、それを吹付けることによってさほど埋没深さには関係なく良好な活着率を示すが、特に芝に代表される裁断茎葉は植生基盤に適度に埋没していなければ良好な活着は望めない。
【０００６】
しかし、機械による吹付け緑化工法の場合、経済性の問題から一般的に植生基盤はさほど厚くないため、地表に露出してしまう苗が多い。
【０００７】
経験的にも植物苗を適度な保水力を保持できる位置（埋没深さ）に吹付けられる割合は少なく、そのため乾燥の影響を受けやすく、苗が枯死する等の課題があった。
【０００８】
一方、後者の芝の張付けによる緑化工法の場合、いずれも手作業で行われるため効率が悪く、非常に多くの手間暇を必要とし、また当然ながら「撒芝」は平地にしか対応できない等の課題があった。
【０００９】
本願発明は、以上の課題を解決するためになされたもので、植物苗の特に芝に代表される裁断茎葉の機械吹付けにおける活着率の向上を図り、しかも平地に限らず、法面の緑化をもきわめて効率的に行えるようにした植物材料の裁断茎葉の吹付けによる緑化工法を提供することを目的とする。
【００１０】
【課題を解決するための手段】
請求項１記載の植物材料の裁断茎葉吹付けによる緑化工法は、吹付けた植物材料の裁断茎葉の上に植生基盤材を吹付けることを特徴とするものである。この場合の植物材料の裁断茎葉としては、例えば芝の裁断茎葉の他にアキレア、フィソステギア、ドクダミ、チガヤ、ヨモギ、ササ類（冬期間や早春）の裁断地下茎葉、休眠期のリコリス類（ヒガンバナを含む）、クロッカス、ムスカリ、オキザリス等の小球根を用いることができる。
【００１１】
また、植生基盤材は肥沃度が高く植物材料の裁断茎葉が生育できるものであれば特に限定されるものではないが、土壌と主に有機質基材（バーク堆肥、ピートモス等）やファイバー（古紙または木質材等）を混合したもので、現場の状況に応じて厚さを自由に設定できる。
【００１２】
また、この場合の植生基盤材は植物材料の裁断茎葉の上に一層に限らず、必要に応じて二層ないし三層、あるいはそれ以上の層に吹付けてもよい。
【００１３】
また本願発明は、地盤が岩場などで植物の生育する土壌や肥料分がほとんどない場合、植物材料の裁断茎葉を吹付ける前に下地として植生基盤材を所定の厚さに吹付け、その上に裁断茎葉を吹付けることで、植物の生育環境に適さない場所においても裁断茎葉の活着率を高めることができる。
【００１４】
請求項２記載の植物材料の裁断茎葉吹付けによる緑化工法は、請求項１記載の緑化工法において、植物材料の裁断茎葉として芝裁断茎葉を吹付けることを特徴とするものである。
【００１５】
請求項３記載の植物材料の裁断茎葉吹付けによる緑化工法は、請求項１または２記載の緑化工法において、ファイバーを吹付けることを特徴とするものである。特に緑化の対象地が法面のような傾斜地で、吹付け直後の裁断茎葉が転がり落ちるおそれがある場合に、植生基盤材にファイバーを混ぜることで密着性が高められて裁断茎葉が転がり落ちるのを阻止することができる。なお、この場合のファイバーとしては例えば古紙や木質材などを用いることができる。
【００１６】
また、緑化の対象地が傾斜地の場合、必要に応じて溶接金網やラス金網、あるいはネット類を張り付けることで裁断茎葉と植生基盤材の滑落を防止することができる。
【００１７】
また、必要に応じて植生基盤材に植物の種子を追加配合することで、吹付けられた裁断茎葉が根付き、法面が緑化されるまでの間、裸地（土壌面が露出している部分）を極力少なくして雑草の発生を抑えることができる。
【００１８】
【発明の実施の形態】
図１（ａ），（ｂ）は、本願発明の緑化工法によって緑化された法面の一例を示し、図において法面１に植物の裁断茎葉として芝裁断茎葉２が吹付けられ、その上に植生基盤材３が所定の厚さに吹付けられている。
【００１９】
そして、時間の経過とともに芝裁断茎葉２が地盤面および植生基盤材３に根付き、生育することで法面１が緑化される。
【００２０】
次に、施工方法の一例を順を追って説明する。
▲１▼　最初に、緑化予定法面に雑草などが生えている場合、除草剤を散布し、刈り払う等して法面の事前処理を行うか、表土を剥ぎ取る。
▲２▼　次に、表土を剥ぎ取った法面（以下「切土法面１」という）の上に芝裁断茎葉２を吹付ける。この場合、芝裁断茎葉２の吹付けとともに適量の散水を行うものとする。また、切土法面１が岩盤などで肥料分がほとんどないとき、あるいは非常に固いときは、例えば図１（ｂ）に図示するように切土法面１の上に下地として植生基盤材３を所定の厚さに吹付ける。
▲３▼　次に、芝裁断茎葉２の上に植生基盤材３と同じ植生基盤材４を所定の厚さに吹付ける。その際、植生基盤材４の厚さは、先に吹付けた芝裁断茎葉２が簡単に露出したり乾燥したりしない程度にする。また、厚さにむらが生じないように数回重ねて行うの望ましい。
【００２１】
【発明の効果】
この発明は以上説明したとおりであり、特に地盤面に裁断茎葉を吹付け、その上に植生基盤材を吹付ける回数により、裁断茎葉の埋没深さを自由にコントロールすることができる。
【００２２】
また、一回の吹付けによって堆積する植生基盤材の厚さが薄い場合でも、複数回の植生基盤材の吹付けにより地表に露出してしまう裁断茎葉を減少させることができ、またそのために乾燥の影響で枯れてしまうものもほとんどなくなる。
【００２３】
したがって、吹付けた裁断茎葉の活着率が非常に高くなり、植物裁断茎葉の吹付け緑化をきわめて効率的に行うことができる。
【図面の簡単な説明】
【図１】本願発明の緑化工法によって施工された法面の一例を示し、（ａ），（ｂ）はいずれも一部斜視図である。
【符号の説明】
１　切土法面
２　芝裁断茎葉（植物の裁断茎葉（または裁断地下茎））
３　植生基盤材
４　植生基盤材
【図１】
2004016040.tif 000003